(57)【要約】【課題】マッサージにともない口腔内を痛めるおそれを低減することのできる口腔内マッサージ用アタッチメント、および口腔用装置を提供する。【解決手段】この口腔内マッサージ用アタッチメントは、往復振動を付与して口腔内をマッサージする装置本体に取り付けられるものであり、口腔内のマッサージ対象部位に作用するマッサージ部３０を含めて構成される。マッサージ部３０は、口腔内のマッサージ対象部位と接触する面である接触面３５の裏側に内部空間３３が設けられていることにより中空構造の部位として形成されている。【選択図】図２
2011200458.tif 000002
【特許請求の範囲】
【請求項１】
往復振動を付与して口腔内をマッサージする口腔用装置の本体である装置本体に取り付けられるものであり、口腔内のマッサージ対象部位に作用するマッサージ部を含む口腔内マッサージ用アタッチメントにおいて、
前記マッサージ部は、口腔内のマッサージ対象部位と接触する面である接触面の裏側に空間が設けられていることにより中空構造の部位として形成されている
ことを特徴とする口腔内マッサージ用アタッチメント。
【請求項２】
請求項１に記載の口腔内マッサージ用アタッチメントにおいて、
前記マッサージ部のうちの前記接触面とは反対側の面を内側面としたとき、前記内側面に囲まれる前記空間には前記装置本体に取り付けられる取付部が設けられ、この取付部と前記マッサージ部とが接続部により互いに接続される
ことを特徴とする口腔内マッサージ用アタッチメント。
【請求項３】
請求項２に記載の口腔内マッサージ用アタッチメントにおいて、
前記接続部が当該アタッチメントの往復振動の方向に延びている
ことを特徴とする口腔内マッサージ用アタッチメント。
【請求項４】
請求項２または３に記載の口腔内マッサージ用アタッチメントにおいて、
前記マッサージ部の上端部には前記空間を外部に向けて開口する上端開口部が設けられ、前記マッサージ部の下端部には前記空間を外部に向けて開口する下端開口部が設けられ、前記取付部と前記内側面との間には前記上端開口部から前記下端開口部までにわたり前記空間が連続して形成されている
ことを特徴とする口腔内マッサージ用アタッチメント。
【請求項５】
請求項２〜４のいずれか一項に記載の口腔内マッサージ用アタッチメントにおいて、
前記取付部の中心線に直交する前記マッサージ部の断面の形状が略円形状となるように前記マッサージ部が形成されている
ことを特徴とする口腔内マッサージ用アタッチメント。
【請求項６】
請求項２〜５のいずれか一項に記載の口腔内マッサージ用アタッチメントにおいて、
当該アタッチメントの往復振動の方向において前記装置本体側に位置する前記マッサージ部の端部を下端部とし、前記装置本体とは反対側に位置する前記マッサージ部の端部を上端部としたとき、前記上端部の中程が丸みを帯びて突出している
ことを特徴とする口腔内マッサージ用アタッチメント。
【請求項７】
請求項１〜６のいずれか一項に記載の口腔内マッサージ用アタッチメントにおいて、
前記接触面には凸部または凹部または凹凸部が設けられている
ことを特徴とする口腔内マッサージ用アタッチメント。
【請求項８】
請求項１〜７のいずれか一項に記載の口腔内マッサージ用アタッチメントにおいて、
前記マッサージ部が低弾性材料により形成されている
ことを特徴とする口腔内マッサージ用アタッチメント。
【請求項９】
請求項８に記載の口腔内マッサージ用アタッチメントにおいて、
前記低弾性材料として熱可塑性エラストマーが用いられている
ことを特徴とする口腔内マッサージ用アタッチメント。
【請求項１０】
請求項１〜９のいずれか一項に記載の口腔内マッサージ用アタッチメントが装置本体に取り付けられた口腔用装置。
【請求項１１】
請求項１０に記載の口腔用装置において、
前記装置本体は、口腔内に付与する振動の振幅を周期的に変更することができる電動歯ブラシ本体である
ことを特徴とする口腔用装置。
【発明の詳細な説明】
【技術分野】
【０００１】
本発明は、往復振動を付与して口腔内をマッサージする口腔用装置の本体である装置本体に取り付けられるものであり、口腔内のマッサージ対象部位に作用するマッサージ部を含む口腔内マッサージ用アタッチメント、および同アタッチメントを備える口腔用装置に関する。
【背景技術】
【０００２】
口腔用装置としての歯茎マッサージ装置として例えば特許文献１に記載のものが知られている。
図８に示すように、この装置のヘッド部１２０は、歯茎に接触するブラシ部１２１と、空気層が封止されたクッション部１２２とを備えている。この装置によれば歯茎にブラシ部１２１を押し当てたとき、クッション部１２２が弾性的に変形する。これにより歯茎への押圧力を低減する。
【先行技術文献】
【特許文献】
【０００３】
【特許文献１】特開２００８−１３８６３１号公報
【発明の概要】
【発明が解決しようとする課題】
【０００４】
ところで、口腔内の歯茎、口腔内の頬部、舌部、および唇部は、粘膜で覆われている。このため、ブラシ部で押し当ててマッサージすると、口腔内を痛めるおそれがある。
本発明はこのような実情に鑑みてなされたものであり、その目的は、マッサージにともない口腔内を痛めるおそれを低減することのできる口腔内マッサージ用アタッチメント、および口腔用装置を提供することにある。
【課題を解決するための手段】
【０００５】
本発明の口腔内マッサージ用アタッチメントは、往復振動を付与して口腔内をマッサージする口腔用装置の本体である装置本体に取り付けられるものであり、口腔内のマッサージ対象部位に作用するマッサージ部を含み、このマッサージ部は、口腔内のマッサージ対象部位と接触する面である接触面の裏側に空間が設けられていることにより中空構造の部位として形成されていることを特徴としている。
【０００６】
この口腔内マッサージ用アタッチメントにおいて、前記マッサージ部のうちの前記接触面とは反対側の面を内側面としたとき、前記内側面に囲まれる前記空間には前記装置本体に取り付けられる取付部が設けられ、この取付部と前記マッサージ部とが接続部により互いに接続されることが好ましい。
【０００７】
この口腔内マッサージ用アタッチメントにおいて、前記接続部が当該アタッチメントの往復振動の方向に延びていることが好ましい。
この口腔内マッサージ用アタッチメントにおいて、前記マッサージ部の上端部には前記空間を外部に向けて開口する上端開口部が設けられ、前記マッサージ部の下端部には前記空間を外部に向けて開口する下端開口部が設けられて、前記取付部と前記内側面との間には前記上端開口部から前記下端開口部までにわたり前記空間が連続して形成されることが好ましい。
【０００８】
この口腔内マッサージ用アタッチメントにおいて、前記取付部の中心線に直交する前記マッサージ部の断面の形状が略円形状となるように前記マッサージ部が形成されていることが好ましい。
【０００９】
この口腔内マッサージ用アタッチメントにおいて、当該アタッチメントの往復振動の方向において前記装置本体側に位置する前記マッサージ部の端部を下端部とし、前記装置本体とは反対側に位置する前記マッサージ部の端部を上端部としたとき、前記上端部の中程が丸みを帯びて突出するように設けられていることが好ましい。
【００１０】
この口腔内マッサージ用アタッチメントにおいて、前記接触面には凸部または凹部または凹凸部が設けられていることが好ましい。
この口腔内マッサージ用アタッチメントにおいて、前記マッサージ部が低弾性材料により形成されていることが好ましい。
【００１１】
この口腔内マッサージ用アタッチメントにおいて、前記低弾性材料として熱可塑性エラストマーが用いられていることが好ましい。
本発明の口腔内マッサージ装置は、上記の口腔内マッサージ用アタッチメントが装置本体に取り付けられていることを特徴としている。
【００１２】
この口腔内マッサージ装置において、前記装置本体は、口腔内に付与する振動の振幅を周期的に変更することができる電動歯ブラシ本体であることが好ましい。
【発明の効果】
【００１３】
本発明によれば、マッサージにともない口腔内を痛めるおそれを低減することのできる口腔内マッサージ用アタッチメント、および口腔用装置を提供することができる。
【図面の簡単な説明】
【００１４】
【図１】本発明の一実施形態について、口腔内マッサージ装置の構造を模式的に示す模式図。
【図２】同実施形態の口腔内マッサージ用アタッチメントのヘッド部の構造について、（ａ）は平面図、（ｂ）は側面図、（ｃ）は底面図、（ｄ）は（ｂ）の矢印Ａの断面図。
【図３】同実施形態の口腔内マッサージ装置の振幅パターンの一例を示す波形図。
【図４】同実施形態の口腔内マッサージ用アタッチメントのヘッド部の第１変形例について、（ａ）は平面図、（ｂ）は側面図。
【図５】同実施形態の口腔内マッサージ用アタッチメントのヘッド部の第２変形例について、（ａ）は平面図、（ｂ）は側面図。
【図６】同実施形態の口腔内マッサージ用アタッチメントのヘッド部の第３変形例について、（ａ）は平面図、（ｂ）は（ａ）の矢印Ｂの断面図。
【図７】同実施形態の口腔内マッサージ用アタッチメントのヘッド部の第４変形例について、（ａ）は平面図、（ｂ）は（ａ）の矢印Ｃの断面図。
【図８】従来の口腔内マッサージ装置のヘッド部を模式的に示す模式図。
【発明を実施するための形態】
【００１５】
図１〜図３を参照して、本発明の一実施形態について説明する。
図１に口腔内マッサージ装置の全体構成を示す。
口腔内マッサージ装置１は、口腔内マッサージ用アタッチメント１０と、同アタッチメントに振動を与える装置本体５０とを含む。装置本体５０としては電動歯ブラシ本体が用いられる。以降では、口腔内マッサージ装置１の長手方向において、口腔内マッサージ用アタッチメント１０がある側を上側とし、装置本体５０がある側を下側とする。
【００１６】
装置本体５０は、口腔内マッサージ用アタッチメント１０を動かす動力を形成する駆動部５１と、駆動部５１に電力を供給する電力部５５と、これらを内部に収容するハウジング６０とを含めて構成されている。
【００１７】
駆動部５１は、口腔内マッサージ用アタッチメント１０が固定される駆動軸５１ａと、駆動軸５１ａを同軸方向に往復振動するモータ５２と、振動パターンにより同モータ５２を駆動させる駆動回路部５３とを含む。口腔内マッサージ用アタッチメント１０は、駆動軸５１ａへの取り付けおよび同駆動軸５１ａからの取り外しができる。
【００１８】
電力部５５は所定電圧以下の電力を供給する蓄電池または充電池により構成されている。蓄電池または充電池は、ハウジング６０において、軸方向に対して口腔内マッサージ用アタッチメント１０とは反対側に配置されている。
【００１９】
ハウジング６０の上面部６１には駆動軸５１ａが挿通する挿通穴が設けられている。ハウジング６０の側面部６２には、駆動回路部５３への電力の供給および遮断を切り替えるスイッチ５４が設けられている。駆動軸５１ａに口腔内マッサージ用アタッチメント１０を取り付けたとき、同アタッチメント１０の下端面４３とハウジング６０の上面部６１との間に隙間が形成される。
【００２０】
口腔内マッサージ用アタッチメント１０は、口腔内をマッサージするヘッド部２０と、ヘッド部２０を支持する支持部４０とを含む。支持部４０は、先端方向に向けて先細りに形成されている。支持部４０の先端には、ヘッド部２０が装着される固定部４１が設けられている。
【００２１】
ヘッド部２０は固定部４１から取り外しできるように構成されている。支持部４０において先端とは反対側の基端には、駆動軸５１ａを嵌めるための嵌合部４２が設けられている。
【００２２】
図２に示すように、ヘッド部２０は、支持部４０の固定部４１に取り付けられる取付部２４と、口腔内のマッサージ対象部位に押し付けるマッサージ部３０とを含む。マッサージ部３０および取付部２４は、低弾性率であるエラストマーにより一体に形成されている。エラストマーとしては例えば硬度が４０度のものが採用される。
【００２３】
取付部２４は、固定部４１が挿入される縦長の有底穴２４ａを有する。有底穴２４ａの径は固定部４１の径よりも小さい。ヘッド部２０を固定部４１に取り付けるとき有底穴２４ａが拡大することにより、ヘッド部２０が固定部４１に対して密着した状態で固定される。
【００２４】
ヘッド部２０の全体は、上端部２１と、下端部２２と、上端部２１および下端部２２の間の中間部２３とに区分される。上端部２１は半球状に形成されている。下端部２２は軸方向に対して略垂直な平坦面に形成されている。中間部２３は円柱状に形成されている。
【００２５】
マッサージ部３０は中空構造を有する部位として構成されている。すなわち、マッサージ部３０は、口腔内のマッサージ対象部位と接触する接触面３５を有する外周部３１と、外周部３１の内側面３４と取付部２４とを接続する接続部３２とを備えている。
【００２６】
外周部３１は、取付部２４の中心線に直交するマッサージ部３０の断面の形状が略円形状となるように形成されている。接続部３２は、取付部２４に対して放射状に４つ設けられている。各接続部３２は周方向において略等間隔に設けられている。周方向において隣り合う接続部３２同士のなす角度は略９０度となる。マッサージ部３０内の空間は、４つの接続部３２により４つの内部空間３３に区画されている。すなわち、１つの内部空間３３は、接続部３２と取付部２４と外周部３１とに囲まれている。
【００２７】
各内部空間３３は、ヘッド部２０の上方および下方に向けて開口した貫通穴として形成されている。すなわち、ヘッド部２０の上端部２１には、各内部空間３３に対応して上端開口部２１ａおよび下端開口部２２ａが設けられている。内部空間３３の大きさは綿棒が入る大きさとされている。
【００２８】
内部空間３３は外周部３１および接続部３２の変形を許容する。すなわち、ヘッド部２０において内部空間３３の部分に樹脂が充填されているときには外周部３１の変形が制限されるが、内部空間３３が形成されていることにより外周部３１および取付部２４の変形が許容される。
【００２９】
外周部３１の接触面３５には、複数の突起３７から構成される凸部３６が設けられている。凸部３６は、６個の半球状の突起３７により構成されている。各突起３７は、軸方向に等間隔に３列、周方向に２列に並べられている。凸部３６は、外周部３１の周方向において隣接する接続部３２の間に設けられている。
【００３０】
以下にヘッド部２０の各部位の大きさの関係を説明する。
ヘッド部２０の軸方向の長さはヘッド部２０の直径よりも大きい。半球状の上端部２１の半径はヘッド部２０の半径以上の長さとされている。具体的には、軸方向におけるヘッド部２０の長さは２０〜３０ｍｍ、ヘッド部２０の直径は１５〜２０ｍｍとされている。また、上端部２１の半径は１５〜２５ｍｍ、外周部３１の肉厚は、すなわち接触面３５と内側面３４との間の厚さは１〜２ｍｍ、接続部３２の肉厚は１〜１．５ｍｍとされている。取付部２４の肉厚は１．５〜２ｍｍとされている。１個の突起３７の大きさとして、直径は２〜４ｍｍ、表面からの高さは０．５〜１ｍｍ、突起３７同士の間隔は３〜７ｍｍにされる。
【００３１】
図３を参照して口腔内マッサージ装置１の動作を説明する。
口腔内マッサージ用アタッチメント１０は、所定の振幅および所定の振動数で軸方向に振動する。同図に示されるように、振動パターンは、振幅の大きさが０．７ｍｍに設定される振動と、振幅の大きさが１．４ｍｍに設定される振動とが交互に繰り返すものとして与えられている。前者の駆動時間と後者の駆動時間は略同じ時間にされている。振動の周波数は１２０〜３５０Ｈｚの所定の値にされる。駆動軸５１ａの振動は、スイッチ５４がオンされることにより開始する。スイッチ５４がオフされたときに駆動軸５１ａの振動が停止する。
【００３２】
次に、口腔内マッサージ装置１の使用方法および動作について説明する。
口腔内マッサージ用アタッチメント１０を装置本体５０に取り付けて、装置本体５０のスイッチ５４をオンにして同アタッチメントを振動させる。次いで、口腔内にヘッド部２０を挿入してマッサージまたはストレッチの対象部位にマッサージ部３０を押し当てる。
【００３３】
例えば、頬部をストレッチするときは、マッサージ部３０のうち凸部３６が形成されていない部分を頬部に押し当てて頬部を伸ばす。ヘッド部２０が頬部に押し当てられたとき、接続部３２および外周部３１が変形する。またヘッド部２０を形成する材質の弾性力により適度に頬部に押圧力が与えられる。また装置本体５０の振動がヘッド部２０を頬部に与えられる。
【００３４】
歯茎をマッサージするときは、マッサージ部３０のうち凸部３６が形成されている部分を歯茎に押し当てる。このときヘッド部２０は、ヘッド部２０をストレッチするときと同様に変形する。このとき装置本体５０の振動がヘッド部２０の突起３７および接触面３５を介して歯茎に与えられる。
【００３５】
本実施形態によれば以下の作用効果を奏することができる。
（１）ヘッド部２０のマッサージ部３０は、接触面３５の裏側に空間が設けられていることにより中空構造の部位として形成されている。この構成により、内部空間３３を歪ませてマッサージ部３０が変形するため、口腔内をマッサージまたはストレッチ（以下、「マッサージ等」）するときに適度な弾力をマッサージ対象部位に与えることができる。
【００３６】
（２）口腔内マッサージ用アタッチメント１０は、外周部３１の内側面３４に囲まれる空間には、装置本体が取り付けられる取付部２４が設けられ、この取付部２４とマッサージ部３０とが接続部３２により互いに接続されている。この構成により、外周部３１の内側に空間を形成するため中空構造を容易に形成することができる。また、接続部３２の高さを変更することにより外周部３１と取付部２４との間隔を変更することができるため、ヘッド部２０の変形の度合いすなわち口腔に与える弾力感を容易に変更することができる。
【００３７】
（３）ヘッド部２０において、接続部３２が口腔内マッサージ用アタッチメント１０の往復振動の方向に延びている。この構成により、接続部３２の軸方向の変形量は、同軸方向に対して垂直な方向に延びるように接続部３２を設けたもの（以下、垂直延伸型のもの）と比較して、小さくなる。このため、垂直延伸型のものと比較して、軸方向の変形量を小さくすることができる。
【００３８】
（４）マッサージ部３０の上端部２１には、内部空間３３を外部に向けて開口する上端開口部２１ａが設けられている。また、マッサージ部３０の下端部２２には内部空間３３を外部に向けて開口する下端開口部２２ａが設けられている。また、取付部２４と内側面３４との間には、上端開口部２１ａから下端開口部２２ａまでにわたり内部空間３３が連続して形成されている。
【００３９】
この構成により、マッサージ部３０において内部空間３３は貫通穴として形成されているため、口腔から分泌される分泌液や水がヘッド部２０内に溜まることを抑制することができる。これにより、ヘッド部２０内に体液や水が溜まることによる汚れ発生を抑制することができる。また、ヘッド部２０を洗浄するとき洗浄水を内部空間３３内に一方向に流すことができるため内部空間３３内の汚れを効率的に落とすことができる。
【００４０】
（５）ヘッド部２０において、取付部２４の中心線に直交するマッサージ部３０の断面の形状が略円形状となるようにマッサージ部３０が形成されている。この構成により、口腔内をマッサージ等するときや歯茎をマッサージするときに当該対象部位にマッサージ部３０を押し当てるためにヘッド部２０の方向性を定める必要がない。すなわち、マッサージ部３０において３６０度のいかなる方向からでもマッサージ部３０をマッサージ対象部位に押し当てることができる。
【００４１】
（６）ヘッド部２０は、上端部２１において口腔内マッサージ用アタッチメント１０の往復振動の方向に突出するとともに、上端部２１の中程が丸みを帯びるように形成されている。この構成により、マッサージ部３０の上端部２１が突出するため口腔の奥部にマッサージ部３０を置くことができる。これにより、口腔の奥部をマッサージ等することができる。また、上端部２１が丸み帯びた形状とされて角張った箇所が少ない構造となっているため口腔と上端部２１との引っかかりを少なくし、口腔に傷がつくことを抑制することができる。
【００４２】
（７）マッサージ部３０の接触面３５には凸部３６が設けられている。この構成により、凸部３６が設けられたマッサージ部３０を歯茎に押し当てて歯茎をマッサージすることで適度な刺激を歯茎に与えることができるため、歯茎の血行を促進することができる。
【００４３】
（８）マッサージ部３０は低弾性材料により形成されている。この構成により、マッサージ部３０が適度な硬度で構成されるため、弾力感のある刺激を与えて口腔内をマッサージすることができる。
【００４４】
（９）ヘッド部２０はエラストマーにより形成されている。エラストマーの比重はシリコンゴムよりも軽いため、シリコンゴムによりヘッド部２０を形成したものに比べて、全体の質量を小さくすることができる。これにより、シリコンゴムでヘッド部２０を形成した場合と比較して、口腔内マッサージ用アタッチメント１０を振動させるときの消費電力量を小さくすることができる。またエラストマーの材料を比重により選択することによりヘッド部２０の質量を調整することができる。
【００４５】
（１０）マッサージ部３０の内部空間３３は綿棒が入り込める大きさに設定されている。この構成により、ヘッド部２０を掃除するとき綿棒を当該内部空間３３に挿入することができるためヘッド部２０の内側部分を効率的に清掃することができる。
【００４６】
（１１）口腔内マッサージ装置１において、口腔内に付与する振動の振幅を周期的に変更する。この構成によれば、口腔内マッサージ用アタッチメント１０の振動が自動的に変化するため、内頬等の口腔内や歯茎に与えられる振動に対する慣れを抑制することができる。
【００４７】
（その他の実施形態）
なお、本発明の実施態様は上記実施形態にて例示した態様に限られるものではなく、これを例えば以下に示すように変更して実施することもできる。また以下の各変形例は、上記実施形態についてのみ適用されるものではなく、異なる変形例同士を互いに組み合わせて実施することもできる。
【００４８】
・上記実施形態では、振幅０．７ｍｍの駆動と振幅１．４ｍｍの駆動とを周期的に繰り返すパターンにより口腔内マッサージ用アタッチメント１０を駆動しているが、口腔内マッサージ用アタッチメント１０の振動方法はこれに限定されない。例えば、振幅幅の変動を正弦波としてもよい。また振幅幅は実施形態の値に限定されない。なお、振幅幅は０．５〜１．７ｍｍの値に設定することが好ましい。
【００４９】
・上記実施形態では、ヘッド部２０を形成する低弾性材料としてエラストマーを用いているが、材料はこれに限定されない。例えば、エラストマーに代わるものとしてシリコンゴムを採用することができる。
【００５０】
・シリコンゴムやエラストマーの代わりとして、口腔内に傷を発生させない樹脂であり、かつ頬部に当てたときに適度に変形する材料であれば、ヘッド部２０を形成するものとして採用することができる。
【００５１】
・上記実施形態では、凸部３６は突起３７が６個で構成される例を示したが、凸部３６の構成はこれに限定されない。例えば、図４に示すように、駆動軸５１ａの振動方向に一列に突起３７を並べ、これら突起３７をヘッド部２０の周方向に沿って延びた形状とすることができる。この構成によれば、突起３７の軸方向の振動により押圧する箇所が面状に広がる。
【００５２】
・また、図５に示すように、７個以上の突起３７を設けることにより凸部３６を構成してもよい。ここでは、接触面３５に対して垂直な方向の突起３７の長さを突起３７の断面の直径よりも大きくしている。これにより、当該突起３７を頬部に押し当ててマッサージを行うときに当該突起３７が揺れ動く。この構成によれば、マッサージ等する箇所に多数の刺激を与えることができる。また突起３７が揺れ動くため、マッサージ対象部位に適度な刺激を与えることができる。
【００５３】
・上記実施形態では、外周部３１において周方向に４つに区画される部分のうちその一つに凸部３６を設けているが、凸部３６を設ける範囲はこれに限定されない。例えば、外周部３１の周方向において半分にわたる部分に凸部３６を設けることができる。外周部３１の周方向の全部にわたって設けることもできる。また、外周部３１の軸方向において上端部２１付近にのみ凸部３６を設けることができる。
【００５４】
・上記実施形態では、歯茎または頬部に刺激を与えるものとして接触面３５に突起３７を設けているが、刺激を与えるものの構成はこのような突起物に限定されるものではない。例えば、凸部３６の代わりとして、接触面３５に複数の有底穴２４ａから構成される凹部を設けたり、山部と谷部が連続した凹凸部を設けたりすることができる。
【００５５】
・上記実施形態では、接触面３５に凸部３６を設ける構成としているが、図６に示されるように、凸部３６を省略して、接触面３５を全周にわたって平坦にすることもできる。
・上記実施形態では、取付部２４と外周部３１との間に接続部３２を４つ設けているが、この接続部３２の個数は４つに限定されない。接続部３２は１個以上であれば外周部３１を取付部２４に対して固定することができる。また、接続部３２の個数を変更することで、外周部３１の撓み度合いを変更することもできる。
【００５６】
・上記実施形態では、外周部３１と、外周部３１内の空間内に配置される取付部２４との間の空間に接続部３２を設けているが、外周部３１の下端部と取付部２４の下端部とを接続部３２により接続することもできる。また、外周部３１の上端部と取付部２４の上端部とを接続部３２により接続することもできる。この構成の場合は、外周部３１内の空間内の接続部３２を省略することができる。
【００５７】
・上記実施形態では、接続部３２と取付部２４と外周部３１とにより囲われた内部空間３３は、ヘッドの上方および下方に向けて開口した貫通穴として構成しているが、図７に示されるように、ヘッドの上端部２１を閉鎖する構成とすることもできる。この構成により、内部空間３３は上端部２１で接続部３２により支持されるため、マッサージ部３０の弾力性を増大することができる。また、上端部２１を半球状とすることにより、当該部分で頬部をマッサージすることもできる。
【００５８】
・上記実施形態では、取付部２４とマッサージ部３０との間を接続部３２により４つの内部空間３３に区分しているが、この内のいくつかの内部空間３３をエラストマーにより満たすものとすることができる。エラストマーがある部分は変形が小さい。このため、１つのヘッドにおいて、変形が大きい部分と、変形が小さい部分とを設けることができるため、使用者の好みにより、マッサージに使用するマッサージ部３０の硬さの選択性を与えることができる。
【００５９】
・上記実施形態では、ヘッド部２０の各寸法は上記サイズに限定されない。また、ヘッド部２０の各長さの関係は上記関係に限定されるものでもない。例えば、ヘッド部２０の軸方向の長さをヘッド部２０の直径よりも小さくすることもできる。
【００６０】
・上記実施形態では、マッサージ部３０および取付部２４は一体形成しているが、取付部２４とマッサージ部３０とを別部材により形成し、両者を組み立ててヘッド部２０を形成することができる。取付部２４を硬度の高い材質で形成する場合は、取付部２４と固定部４１との締結構造をねじ式に変更することができる。
【００６１】
・上記実施形態では、口腔内マッサージ用アタッチメント１０は、電動歯ブラシ用の装置本体５０に装着するものとして構成されている。しかし、口腔内マッサージ用アタッチメント１０は、口腔内マッサージ専用の装置本体に装着するものとしてもよい。
【符号の説明】
【００６２】
１…口腔内マッサージ装置（口腔用装置）、１０…口腔内マッサージ用アタッチメント、２０…ヘッド部、２１…上端部、２１ａ…上端開口部、２２…下端部、２２ａ…下端開口部、２４…取付部、３０…マッサージ部、３１…外周部、３２…接続部、３３…内部空間、３４…内側面、３５…接触面、３６…凸部、３７…突起、５０…装置本体。
【図１】
2011200458.tif 000003
【図２】
2011200458.tif 000004
【図３】
2011200458.tif 000005
【図４】
2011200458.tif 000006
【図５】
2011200458.tif 000007
【図６】
2011200458.tif 000008
【図７】
2011200458.tif 000009
【図８】
2011200458.tif 000010